(57)【要約】      （修正有）【課題】ほうれい線のシワを抑制し又は解消し得る、安価なほうれい線解消用具を提供する。【解決手段】口腔前庭部内の、ほうれい線２と相対する位置近傍に装着して、ほうれい線２を、ほうれい線２に対して略垂直な方向に引き伸ばし、それにより、ほうれい線２のシワを抑制し又は解消し得る板状体であって、該板状体の厚さが１〜１０ミリメートル、好ましくは２〜７ミリメートルである、ほうれい線解消用具１である。また、上記板状態は、合成樹脂又は弾力性の食品素材から作られていることが好ましい。【選択図】図１
0003183344.tif 000002
【実用新案登録請求の範囲】
【請求項１】
口腔前庭部内の、ほうれい線と相対する位置近傍に装着して、ほうれい線を、ほうれい線に対して略垂直な方向に引き伸ばし、それにより、ほうれい線のシワを抑制し又は解消し得る板状体であって、該板状体の厚さが１〜１０ミリメートルである、ほうれい線解消用具。
【請求項２】
上記板状体の厚さが２〜７ミリメートルである、請求項１記載のほうれい線解消用具。
【請求項３】
上記板状体を口腔前庭部内に装着した際に、該板状体の上側になる辺の形状が、上唇から口腔前庭部内の上部へと続く面と上歯茎とにより形成される境界線の一部に略一致する形状、又は、上側に向かって突出した湾曲状乃至円弧状の形状である、請求項１又は２記載のほうれい線解消用具。
【請求項４】
上記板状体を口腔前庭部内に装着した際に、該板状体の下側になる辺の形状が、下側に向かって突出した湾曲状乃至円弧状の形状であり、ここで、該下側になる辺の一部が上側に向かって湾曲していてもよい、請求項１〜３のいずれか一つに記載のほうれい線解消用具。
【請求項５】
上記板状体を口腔前庭部内に装着した際に、該板状体の上下方向となる幅が３〜２０ミリメートルであり、かつ、該板状体の左右方向となる長さが、３〜５０ミリメートルである、請求項１〜４のいずれか一つに記載のほうれい線解消用具。
【請求項６】
上記板状体がゴム、合成樹脂又は弾力性の食品素材から成る、請求項１〜５のいずれか一つに記載のほうれい線解消用具。
【考案の詳細な説明】
【技術分野】
【０００１】
本考案は、ほうれい線解消用具に関し、更に詳しくは、口腔前庭部内に装着するほうれい線解消用具に関する。
【背景技術】
【０００２】
ほうれい線とは、ヒトの鼻の両脇から唇の両端に伸びる２本のしわのことを言う。該ほうれい線は、主として加齢によって中年以降に目立ち始め、その深さは見た目の年齢に大きな影響を及ぼす。そこで、このほうれい線を如何にして解消するかが、美容上大きな問題となっている。
【０００３】
ほうれい線を解消する方法としては、例えば、マッサージによる方法、鍼による方法、クリーム等の外用化粧品による方法、ヒアルロン酸やコラーゲンを直接注入する方法等、又は、これらを組み合わせる方法が知られている。しかし、マッサージ、鍼及びクリームによる方法では効果が薄く、ヒアルロン酸やコラーゲンを直接注入する方法は、効果を持続するために継続して注射を実施しなければならず、アレルギー等の症状を発症することもある。また、整形手術による方法もあるが、費用が高く一般的ではない。
【０００４】
また、いわゆるシワ取り用具により顔の表面から物理的にシワを取る方法が知られている。例えば、皮膚上に形成されたシワを挟んでその両側から、該シワの長手方向に対して略直角方向に皮膚を引き伸ばすことにより、シワの形成を抑制し又はシワを取り去る、皮膚のシワ取り用具（Ａ）であって、該皮膚のシワ取り用具（Ａ）が、任意の形状を有するスポンジ様部材（１）から構成されており、かつ該スポンジ様部材（１）の皮膚に対向する面（３）の形状が、円形、長円形又は四角形以上の多角形であり、かつ、該スポンジ様部材（１）の皮膚に対向する面（３）上に、シワを挟んで皮膚に貼付し得る少なくとも１対の粘着剤層（２）を有する、皮膚のシワ取り用具が知られている（特許文献１）。該方法によれば、人体に傷をつけることなく安全にシワを取ることができるが、ほうれい線のように太くかつ深いシワを抑制し、取り去るには十分とは言えなかった。
【先行技術文献】
【特許文献】
【０００５】
【特許文献１】実用新案登録第３１５７９４３号公報
【考案の概要】
【考案が解決しようとする課題】
【０００６】
本考案は、ほうれい線のシワを抑制し又は解消し得る、安価なほうれい線解消用具を提供するものである。
【課題を解決するための手段】
【０００７】
特許文献１記載の皮膚のシワ取り用具は、顔面の細かいシワの形成を抑制し取り去るためには有効であるが、ほうれい線のシワのように、太くかつ深いシワに対しては効果が十分ではないことが分かった。本考案者は、このように太くかつ深いほうれい線のシワを、如何にすれば、安価かつ簡便に抑制し又は解消し得るかについて種々の検討を重ねた。その結果、従来の皮膚の表面からシワを伸ばすという考え方を改め、口の中、即ち、口腔前庭部内に所定厚さの板状体を挿入して装着し、それにより、口の内部からほうれい線のシワを引き伸ばすようにすれば、該シワの抑制及び解消に大いに効果的であることを見出し、本考案を完成するに至った。
【０００８】
即ち、本考案は、
（１）口腔前庭部内の、ほうれい線と相対する位置近傍に装着して、ほうれい線を、ほうれい線に対して略垂直な方向に引き伸ばし、それにより、ほうれい線のシワを抑制し又は解消し得る板状体であって、該板状体の厚さが１〜１０ミリメートルである、ほうれい線解消用具である。
【０００９】
好ましい態様として、
（２）上記板状体の厚さが２〜７ミリメートルである、上記（１）記載のほうれい線解消用具、
（３）上記板状体の厚さが３〜５ミリメートルである、上記（１）記載のほうれい線解消用具、
（４）上記板状体を口腔前庭部内に装着した際に、該板状体の上側になる辺の形状が、上唇から口腔前庭部内の上部へと続く面と上歯茎とにより形成される境界線の一部に略一致する形状、又は、上側に向かって突出した湾曲状乃至円弧状の形状である、上記（１）〜（３）のいずれか一つに記載のほうれい線解消用具、
（５）上記板状体を口腔前庭部内に装着した際に、該板状体の下側になる辺の形状が、下側に向かって突出した湾曲状乃至円弧状の形状であり、ここで、該下側になる辺の一部が上側に向かって湾曲していてもよい、上記（１）〜（４）のいずれか一つに記載のほうれい線解消用具、
（６）上記板状体を口腔前庭部内に装着した際に、該板状体の上下方向となる幅が３〜２０ミリメートルである、上記（１）〜（５）記載のほうれい線解消用具、
（７）上記板状体を口腔前庭部内に装着した際に、該板状体の上下方向となる幅が５〜１５ミリメートルである、上記（１）〜（５）記載のほうれい線解消用具、
（８）上記板状体を口腔前庭部内に装着した際に、該板状体の上下方向となる幅が７〜１３ミリメートルである、上記（１）〜（５）記載のほうれい線解消用具、
（９）上記板状体を口腔前庭部内に装着した際に、該板状体の左右方向となる長さが、３〜５０ミリメートルである、上記（１）〜（８）記載のほうれい線解消用具、
（１０）上記板状体を口腔前庭部内に装着した際に、該板状体の左右方向となる長さが、１０〜４０ミリメートルである、上記（１）〜（８）記載のほうれい線解消用具、
（１１）上記板状体を口腔前庭部内に装着した際に、該板状体の左右方向となる長さが、２０〜３０ミリメートルである、上記（１）〜（８）記載のほうれい線解消用具、
（１２）上記板状体がゴム、合成樹脂又は弾力性の食品素材から成る、上記（１）〜（１１）記載のほうれい線解消用具
を挙げることができる。
【考案の効果】
【００１０】
本考案のほうれい線解消用具は、ほうれい線のシワを効果的に抑制し又は解消し得るばかりではなく、簡単な構造であることから非常に安価に製造し得る。
【図面の簡単な説明】
【００１１】
【図１】図１は、本考案のほうれい線解消用具を装着した際の概略図である。
【図２】図２は、本考案のほうれい線解消用具のいくつかの態様を示した概略図である。
【図３】図３は、本考案のほうれい線解消用具が装着される口腔前庭部を正面から見た概略面である。
【図４】図４は、本考案のほうれい線解消用具が装着される口腔前庭部を側面から見た概略図である。
【考案を実施するための形態】
【００１２】
本考案のほうれい線解消用具は、口腔前庭部内の、ほうれい線と相対する位置近傍に装着して、ほうれい線を、ほうれい線に対して略垂直な方向に引き伸ばし、それにより、ほうれい線のシワを抑制し又は解消し得る板状体である。ここで、口腔前庭部とは、図３及び４に示したヒトの口の内部の部分（５）を言い、頬及び唇の内側の粘膜と、上下の歯との間に形成される馬蹄形の空間を言う。また、ほうれい線とは、ヒトの鼻の両脇から唇の両端に伸びる２本のしわのことを言う（図１の２参照）。本考案のほうれい線解消用具は板状体から構成される。そして、図１に示したように、この板状体（１）を、口腔前庭部内に挿入して、ほうれい線と相対する位置近傍に装着する。即ち、上顎にある口腔前庭部内のほうれい線と相対する位置近傍に装着するのである。それにより、該板状体の厚さ、即ち、ふくらみにより、顔面の皮膚を外側に押し出して、ほうれい線を、ほうれい線に対して略垂直な方向に引き伸ばすのである。このようにして、ほうれい線を引き伸ばすことにより、ほうれい線のシワを抑制し又は解消し得るのである。
【００１３】
本考案のほうれい線解消用具を構成する板状体の厚さの上限は、１０ミリメートル、好ましくは７ミリメートル、より好ましくは５ミリメートルであり、下限は、１ミリメートル、好ましくは２ミリメートル、より好ましくは３ミリメートルである。厚さが上記上限を超えては、ほうれい線の部分が外部に膨らみ過ぎて却って美感を損なうことがあると共に、外部から口腔前庭部内に何らかの異物を装着していることが見て取れることがある。一方、厚さが上記下限未満では、ほうれい線のシワを抑制し又は解消し得ないことがあるのみならず、口腔前庭部内から脱落して装着し得ないことがある。上記板状体の厚さは、板状体全体に亘って一様である必要はなく、板状体を口腔前庭部内に装着した際に、該板状体の上側になる部分が厚く、下側に行くに従って薄くなるように調節することができる。それにより、板状体を口腔前庭部内に装着した際、板状体の、口腔前庭部内からの脱落を効果的に防止し得る。このように、板状体の厚さが、板状体全体に亘って一様ではない場合には、上記の板状体の厚さは、板状体の最大厚さを意味する。
【００１４】
本考案のほうれい線解消用具を構成する板状体は、該板状体を口腔前庭部内に装着した際に、該板状体の上側になる辺の形状に特に制限はなく、装着した際に口腔前庭部内を傷つけることがないような形状であれば特に問題はない。好ましくは、上唇から口腔前庭部内の上部へと続く面（８）と上歯茎（６）とにより形成される境界線（９）の一部に略一致する形状であることができる。ここで、上記の境界線とは、いわゆる前庭円蓋、即ち、口腔前庭上壁で、唇粘膜と頬粘膜が、反転して歯槽部粘膜に移行する部分に相当する。本考案の板状体は、ほうれい線と相対する位置近傍に装着される故に、該板状体の上辺の形状は、少なくとも、該位置に対応する上記境界線に略一致していることが好ましい。それにより、板状体を口腔前庭部内に装着した際に、違和感なくぴったりと装着することができる。このような板状体の上側になる辺の形状は、板状体を装着する人により多少異なることから、板状体を装着する人毎に、その形状に適合するように型取りをして成形されることができる。あるいは、該板状体の上側になる辺の形状は、上側に向かって突出した湾曲状乃至円弧状の形状であることもできる。上記の形状には、楕円の一部、長円の一部も含まれる。もちろん、上側になる辺の全体に亘って、上側に向かって突出している必要はなく、その一部分が下側に向かって湾曲、即ち、くぼんでいてもよい。このような形状の場合には、特に型取りの必要もないため量産可能であり、複数種類の形状の板状体を用意しておくことにより、多くの人に対応することができ、従って、安価でもある。また、該板状体を口腔前庭部内に装着した際に、該板状体の上側になる部分の断面形状は、口腔前庭部内に違和感なく装着し得るように、口腔前庭部の断面形状に近似していることが好ましい。
【００１５】
該板状体を口腔前庭部内に装着した際に、該板状体の下側になる辺の形状についても、上側になる辺の形状と同様に特に制限はなく、装着した際に口腔前庭部内を傷つけることがないような形状であれば特に問題はない。好ましくは、該板状体の下側になる辺の形状は、下側に向かって突出した湾曲状乃至円弧状の形状である。上記の形状には、楕円の一部、長円の一部も含まれる。もちろん、下側になる辺の全体に亘って、下側に向かって突出している必要はなく、その一部分が上側に向かって湾曲していてもよい。本考案の板状体の形状のいくつかを図２に示した。例えば、円形、楕円形、長円形、その中心となる形状が円形、楕円形又は長円形であって、その両側又は片側から先端部に向かって次第に細くなっている形状、上記のいずれかの形状のものであって、上側になる辺の形状が上唇から口腔前庭部内の上部へと続く面と上歯茎とにより形成される境界線の一部に略一致する形状、上記のいずれかの形状のものであって、上側になる辺及び／又は下側になる辺の一部が下側又は上側に湾曲している形状等が挙げられる。
【００１６】
上記板状体を口腔前庭部内に装着した際に、該板状体の上下方向となる幅は口腔前庭部内に装着し得る幅であれば特に制限はないが、該板状体が上歯茎の部分に収まる程度であることが好ましい。該幅の上限は、好ましくは２０ミリメートル、より好ましくは１５ミリメートル、更に好ましくは１３ミリメートルであり、下限は、好ましくは３ミリメートル、より好ましくは５ミリメートル、更に好ましくは７ミリメートルである。また、上記板状体を口腔前庭部内に装着した際に、該板状体の左右方向となる長さも口腔前庭部内に装着し得る長さであれば特に制限はないが、該板状体が上歯茎の部分に収まる程度であることが好ましい。該長さの上限は、好ましくは５０ミリメートル、より好ましくは４０ミリメートル、更に好ましくは３０ミリメートルであり、下限は、好ましくは３ミリメートル、より好ましくは１０ミリメートル、特に好ましくは２０ミリメートルである。
【００１７】
本考案のほうれい線解消用具を装着する口腔前庭部内の、ほうれい線と相対する位置近傍の形状等は、装着する人夫々により相違するため、特別にあつらえて製造する場合を除き、板状体の上側及び下側の片の形状、板状体の断面形状、板状体の全体の形状、厚さ、幅及び長さに関して、予めいくつかの種類、例えば、大、中、小サイズを製造して用意し、夫々の人に適合したものを選択することにより装着することが好ましい。本考案のほうれい線解消用具は、上記の板状体を２個１組として左右のほうれい線に使用するのが一般的であるが、もちろん、板状体を１個使用して左右のほうれい線のいずれかに使用することもできる。また、板状体を２個１組として予め左右のほうれい線に適合するように２個を結合したものを使用することもできる。
【００１８】
本考案のほうれい線解消用具を構成する板状体の材質は、口の中に装着しても人体に危険のないものであれば特に制限はない。好ましくはゴム、合成樹脂又は弾力性の食品素材から成る。ゴム又は合成樹脂としては、医療用又はスポーツ用に使用するマウスピースの材質と同様のものを使用することができ、例えば、シリコーンゴム、シリコーン樹脂、ポリオレフィン樹脂、エチレン−酢酸ビニル共重合体樹脂等の弾性を有するものを挙げることができる。弾力性の食品素材としては、例えば、菓子用のグミ、コンニャク、マンナン、ゼラチン、寒天等の弾力性のゲル状食品素材を挙げることができる。このような食品素材を使用すれば、飴のような感覚で口腔前庭部内に装着することができ、また、間違えて飲み込んでしまっても健康を害することもない。
【００１９】
以下の実施例において、本考案の好ましい実施態様を説明するが、本考案はこの実施例により限定されるものではない。
【実施例】
【００２０】
（実施例１）
ほうれい線解消用具として、図２（ｃ）に示した形状の板状体を、シリコーンゴムシートを用いて作製した。該板状体の各寸法を、厚さ約４ミリメートル、幅約１０ミリメートル及び長さ約３０ミリメートルとした。該板状体を２枚１組として用意して、ほうれい線解消用具とした。被験者は、４０歳代及び５０歳代の男女合計１０人とした。各被験者の口腔前庭部内の、左右のほうれい線と相対する位置近傍に、上記のほうれい線解消用具を装着して、装着前後におけるほうれい線のシワの程度を、被験者相互間で目視観察して評価した。その結果、全ての被験者について、ほうれい線のシワの解消が確認された。
【００２１】
（実施例２）
板状体の厚さを約７ミリメートルにした以外は、実施例１と同一に実施した。板状体の厚さを約７ミリメートルにするために、便宜的に厚さ約４ミリメートルと約３ミリメートルのシリコーンゴムシートを重ねて使用した。その結果、全ての被験者について、ほうれい線のシワの解消が確認された。
【００２２】
（実施例３）
板状体の厚さを約３ミリメートルにした以外は、実施例１と同一に実施した。その結果、全ての被験者について、ほうれい線のシワの解消が確認された。
【００２３】
上記の実施例１〜３において、被験者によっては、その効果が弱い状態、又は、口の中に異物を装着していることが外部から明らかなほど膨れ上がった状態の人もいたが、その場合に、適宜、板状体の厚さを本考案の範囲内で、厚く又は薄くすることによって、良好な効果を得ることができた。
【産業上の利用可能性】
【００２４】
本考案のほうれい線解消用具は、ほうれい線のシワを効果的に抑制し又は解消し得るばかりではなく、非常に安価であることから、ほうれい線のシワ取り用具として、今後、大いに利用されることが期待される。
【符号の説明】
【００２５】
１    ほうれい線解消用具
２    ほうれい線
３    上唇
４    下唇
５    口腔前庭部
６    上歯茎
７    前歯
８    上唇から口腔前庭部内の上部へと続く面
９    上唇から口腔前庭部内の上部へと続く面と上歯茎とにより形成される境界線
【図１】
0003183344.tif 000003
【図２】
0003183344.tif 000004
【図３】
0003183344.tif 000005
【図４】
0003183344.tif 000006